(57)【特許請求の範囲】
【請求項１】
引き回し配線部と、該引き回し配線部より延出され、折り曲げ可能に設けられた折り曲げ配線部と、前記引き回し配線部より延出され、折り曲げ可能に設けられた引っ掛け係合部とを有し、前記折り曲げ配線部の周縁に、当該折り曲げ配線部を折り曲げたときに前記引っ掛け係合部を係合させる切り欠き部を有し、
前記折り曲げ配線部の周縁に形成された切り欠き部は、折り曲げ配線部を折り曲げて引っ掛け係合部を係合させたとき、当該引っ掛け係合部の先端が根元部より引き回し配線部側に位置するように設けてあることを特徴とするフレキシブル配線基板。
【請求項２】
前記引っ掛け係合部は、前記引き回し配線部より延びる舌片部と、該舌片部の端部より両側に延びる引っ掛け部とを有することを特徴とする請求項１に記載のフレキシブル配線基板。
【請求項３】
前記折り曲げ配線部に形成された切り欠き部は、その開口の幅が、前記引っ掛け係合部の舌片部の幅よりも小さいことを特徴とする請求項２に記載のフレキシブル配線基板。
【請求項４】
前記折り曲げ配線部に形成された切り欠き部の開口近傍の内面に段差部を有すること特徴とする請求項３に記載のフレキシブル配線基板。
【請求項５】
請求項１乃至請求項４のいずれか１項に記載のフレキシブル配線基板を用いて筐体内に備える回路基板同士又は筐体内に備える回路基板と電気部品又は電子部品とを電気的に接続してあることを特徴とする携帯電子機器。
【発明の詳細な説明】
【技術分野】
【０００１】
本発明は、折り曲げ配線部を有するフレキシブル配線基板と、これを用いた携帯電話機、ＰＤＡ（Personal Digital Assistants）、デジタルカメラ等の携帯電子機器に関する。
【背景技術】
【０００２】
従来、電気的接続手段として、例えばポリイミド樹脂からなる可撓性をもったベースフィルムの間に、銅箔よりなる所定パターンの配線を挟み込んだフレキシブル配線基板が使用されている。
【０００３】
フレキシブル配線基板は、配線が形成された引き回し配線部と、該引き回し配線部に設けられ、前記配線と電気的に接続された接続端子部とを有し、必要に応じて引き回り配線部より延出され、折り曲げ可能に設けられた折り曲げ配線部を有するものもあり、この折り曲げ配線部には引き回し配線部に形成された配線の一部が形成され、折り曲げ配線部にＩＣパッケージ、コンデンサ、抵抗器等の各種電子部品や接続端子部を構成するコネクタ等が実装されるようにしたものがあった。
【０００４】
そして、このような折り曲げ配線部を有するフレキシブル配線基板は、その使用時において折り曲げ配線部を接続部品間の配置に応じて折り曲げたり、フレキシブル配線基板の占有スペースを小さくするために折り曲げて使用するようになっており、様々な機器に使用されている。
【０００５】
一方、携帯電話機、ＰＤＡ（Personal Digital Assistants）、デジタルカメラ等の携帯電子機器は、その本体を形成するケース内に、ＩＣパッケージやコンデンサ、抵抗器等の各種電子部品を実装した回路基板、液晶ディスプレイや有機ＥＬディスプレイ等の表示装置、複数の操作キーを備えたキーシートと前記キーにより押下されることでＯＮ／ＯＦＦを切り換える複数のスイッチとを有するキー操作部、カメラ部等の電子部品を備え、例えば特許文献１のように、回路基板と表示装置との電気的接続において前述したフレキシブル配線基板を用いたり、あるいは回路基板とキー操作部やカメラとの電気的接続において前述したフレキシブル配線基板が使用されていた。
【特許文献１】特開２００５−１０９１３２号公報
【発明の開示】
【発明が解決しようとする課題】
【０００６】
ところで、フレキシブル配線基板は可撓性を有するものの、フィルムや配線の反発作用により折曲げた状態を維持することは難しいといった課題があった。
【０００７】
その為、緻密な部品配置が要求される携帯電子機器の組み立て工程においては、フレキシブル配線基板の折曲げ状態を維持することが難しく、その結果、組み立て作業が煩雑になるといった課題があった。
【０００８】
そこで、折曲げ状態を維持する手段として両面接着テープを用いた固着も行われているが、この場合、部品同士や部品と回路基板あるいは部品とケースとの精度の問題から位置を若干ずらしたいというときには折り曲げ配線部が固定されているためにフレキシブル配線基板の折り曲げ配線部に実装された電子部品や接続端子部の位置を移動させることができず、両面接着テープで固着された折り曲げ配線部を一度剥がして再度貼り付け直さなければならないというように、依然として組み立て作業性を改善することができないといった課題があった。
【０００９】
本発明の目的は、上述した事情に鑑みてなされたものであって、簡単な構造で折り曲げ配線部の折曲げ状態を維持することが可能なフレキシブル配線基板とこれを用いた携帯無線機を提供することにある。
【課題を解決するための手段】
【００１０】
本発明は、引き回し配線部と、該引き回し配線部より延出され、折り曲げ可能に設けられた折り曲げ配線部と、前記引き回し配線部より延出され、折り曲げ可能に設けられた引っ掛け係合部とを有し、前記折り曲げ配線部の周縁に、当該折り曲げ配線部を折り曲げたときに前記引っ掛け係合部を係合させる切り欠き部を有し、
前記折り曲げ配線部の周縁に形成された切り欠き部は、折り曲げ配線部を折り曲げて引っ掛け係合部を係合させたとき、当該引っ掛け係合部の先端が根元部より引き回し配線部側に位置するように設けてあることを特徴とする。
【００１１】
また、前記引っ掛け係合部は、前記引き回し配線部より延びる舌片部と、該舌片部の端部より両側に延びる引っ掛け部とを含むことを特徴とする。
【００１２】
また、前記折り曲げ配線部に形成された切り欠き部は、その開口の幅が、前記引っ掛け係合部の舌片部の幅よりも小さくなるようにしたことを特徴とする。
【００１３】
さらに、前記折り曲げ配線部に形成された切り欠き部の開口近傍の内面には段差部を設けたことを特徴とする。
【００１５】
また、本発明は、前述したフレキシブル配線基板を用いて筐体内に備える回路基板同士又は筐体内に備える回路基板と電気部品又は電子部品とを電気的に接続して携帯電子機器を構成したことを特徴とする。
【発明の効果】
【００１６】
本発明によれば、折り曲げ配線部の切欠き部に引っ掛け係合部を係合させるだけで折り曲げ配線部を折り曲げた状態で固着することなく維持させることができる。その為、本発明のフレキシブル配線基板を携帯電子機器に用いれば、組み立て時やメンテナンス時におけるフレキシブル配線基板の取り扱いが容易となり、組み立てやメンテナンス作業性を大幅に高めることができる。
【発明を実施するための最良の形態】
【００１７】
図１から図８は本発明に係る一実施形態を示しており、ここで説明する実施の形態は、本発明のフレキシブル配線基板と、このフレキシブル配線基板を用いた携帯電話機に適用した場合のものである。
【００１８】
図１に示すように、この実施形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１９】
第２の筐体３の内部には、表面に各種情報を表示する表示面７ａを有するＬＣＤ（Liquid Crystal Display）、有機ＥＬ（Electro Luminescence）ディスプレイ、無機ＥＬディスプレイ等の表示部７及び通話用のスピーカ部９が設けられている。表示部７の表示面７ａは、２つの筐体２，３を相互に重ね合わせた状態において第１の筐体２に対向する第２の筐体３の対向面３ｃ側に露出するようになっている。スピーカ部９は、基端部３ａとは反対側に位置する第２の筐体３の先端部３ｂに配されており、スピーカ部９の放音口は、第２の筐体３の対向面３ｃから第２の筐体３の内部空間に貫通する開口部３ｄを介して外方に露出するようになっている。
【００２０】
第１の筐体２の内部には、通話キー、終話キー等の各種の押下操作可能な複数の操作キー１０，１２を備えた２つのキー操作部１１，１３及び通話用のマイクロフォン部１５が設けられている。第１のキー操作部（主キー操作部）１１の各操作キー（主操作キー）１０は、２つの筐体２，３を相互に重ね合わせた状態において第２の筐体３に対向する第１の筐体２の対向面２ｃから外方に露出するようになっている。また、第２のキー操作部１３の各操作キー（補助操作キー）１２は、対向面２ｃに隣接する第１の筐体２の側面２ｅから外方に露出するようになっている。なお、第１の筐体２の側面２ｅは、第１の筐体２の厚さ方向に沿って形成されている。
【００２１】
マイクロフォン部１５は、基端部２ａとは反対側に位置する第１の筐体２の先端部２ｂに配されており、マイクロフォン部１５の集音口は、第１の筐体２の対向面２ｃから第１の筐体２の内部空間に貫通する開口部２ｄを介して外方に露出するようになっている。
【００２２】
この第１の筐体２は、第１の筐体２の対向面２ｃ側を構成するフロントケース１７、及び、第１の筐体２の外面２ｆ側を構成するリアケース１９を備えている。これらフロントケース１７及びリアケース１９は、互いに第１の筐体２の厚さ方向に結合可能となっている。
【００２３】
この第１の筐体２の内部には、図２に示すように、外面２ｆの反対側に位置するリアケース１９の内面１９ａ側から、回路基板２１、シールドケース（補強部材）２３、前述した第１のキー操作部１１を構成するスイッチ基板２５及び複数の主操作キー１０を有するキーシートが重ねて配されている。また、第１の筐体２内部の先端部２ｂ側には、無線通信用のアンテナ２７が収容されている。すなわち、このアンテナ２７は、回路基板２１、シールドケース（補強部材）２３及びスイッチ基板２５の近傍に配されている。また、リアケース１９と回路基板２１との間にはカメラ部６１が配置され、カメラ部６１の窓がリアケース１９の外面２ｆより外方に露出するようになっている。
【００２４】
シールドケース２３に対向する回路基板２１の一の表面２１ａには、複数の電子部品が実装されている。電子部品としては、高周波ブロック３１、電源ＩＣ３３、メモリ３５やＣＰＵ３７等がある。
【００２５】
ここで、高周波ブロック３１は、回路基板２１を介してアンテナ２７と電気的に接続されており、図３に示すように、アンテナ２７及び図示しない通信ネットワークを介して、他の電話機との間で通話したり、図示しない他の携帯電話機やサーバとの間で電子メール、インターネットのホームページ等の各種情報を送受信するものである。また、電源ＩＣ３３は、携帯電話機１に備えるバッテリー３９の充電及び放電等を制御するものである。さらに、メモリ３５は、文字、記号、画像等の各種情報や携帯電話機１の各種機能を記憶するものである。
【００２６】
そして、ＣＰＵ３７は、スピーカ部９、マイクロフォン部１５、高周波ブロック３１、電源ＩＣ３３、メモリ３５、カメラ部６１等の動作を制御するものである。すなわち、ＣＰＵ３７は、例えば、通話する際にマイクロフォン部１５から入力された音声情報を高周波ブロック３１に出力したり、高周波ブロック３１から入力された音声情報をスピーカ部９に出力する役割を果たす。また、ＣＰＵ３７は、例えば、高周波ブロック３１において受信した各種情報をメモリ３５に記憶させると共に、キー操作部１１，１３の操作に基づいて各種情報を表示部７に表示させる役割を果たす。さらに、ＣＰＵ３７は、例えば、キー操作部１１，１３の操作に基づいてカメラ部６１により画像を撮影し、撮影した画像をメモリ３５に記憶させる役割を果たす。
【００２７】
また、図２に示すように、回路基板２１の一の表面２１ａには、上述した複数の電子部品を囲繞するグランドパターンとしての基準電位層４１が配設されている。
【００２８】
この基準電位層４１は、複数の電子部品の搭載領域を所定個数の電子部品毎に区画するように形成されている。すなわち、高周波ブロック３１を搭載した第１の搭載領域Ｓ１、電源ＩＣ３３を搭載した第２の搭載領域Ｓ２、メモリ３５及びＣＰＵ３７を搭載した第３の搭載領域Ｓ３、及び、コンデンサや抵抗器等の他の電子部品３２を搭載した複数の第４の搭載領域Ｓ４が、基準電位層４１によってそれぞれ個別に区画されている。このように分割された複数の搭載領域Ｓ１〜Ｓ４は、各々回路基板２１の一の表面２１ａの周縁に位置している。
【００２９】
シールドケース２３は、導電性を有すると共に、図４に示すように、回路基板２１の一の表面２１ａに対向し、かつ回路基板２１の表面２１ａのうち大部分を覆う略板状の天板部４３と、該天板部４３の裏面４３ｂに立設された区画壁部４５，４７とから構成され、上述した複数の電子部品を覆うように、ネジ止めによって回路基板２１の一の表面２１ａに固定されている。
【００３０】
すなわち、区画壁部４５は、天板部４３の裏面４３ｂの周縁全体から突出しており、回路基板２１の一の表面２１ａの周縁に形成された基準電位層４１に当接するように構成されている。また、区画壁部４７は、回路基板２１の各搭載領域Ｓ１〜Ｓ４の間に形成された基準電位層４１に当接するように構成されている。
【００３１】
したがって、上記シールドケース２３を回路基板２１の一の表面２１ａに固定した状態においては、シールドケース２３が回路基板２１の一の表面２１ａの略全体を覆うことから、第１の筐体２の剛性を向上させることができる。
【００３２】
また、シールドケース２３は、基準電位層４１と当接させると共に、複数の電子部品を各搭載領域Ｓ１〜Ｓ４に対応する空間に分割して配することができるため、各搭載領域Ｓ１〜Ｓ４に対応する空間をそれぞれ電磁シールドすることができる。
【００３３】
また、このシールドケース２３は、区画壁部４５の一部に一体的に形成された略矩形板状の延出部４９を備えている。この延出部４９は、回路基板２１及びシールドケース２３を相互に重ねて配した状態において、天板部４３から回路基板２１の厚さ方向に延びて回路基板２１の側部に隣接して位置し、その先端は、一の表面２１ａとは反対側に位置する回路基板２１の裏面２１ｂからさらに厚さ方向に延在している。したがって、延出部４９を形成した位置においては、回路基板２１の一の表面２１ａと側壁部４５との境界が覆い隠されることになる。
【００３４】
また、延出部４９の表面４９ａは、天板部４３の表面４３ａに対して略直交しており、シールドケース２３を第１の筐体２の内部に配した状態において、第１の筐体２の側面２ｅ側に開口する開口部２ｇに対向するようになっている。
【００３５】
なお、上述のように構成されたシールドケース２３は、金属により形成することもできるが、例えば、天板部４３を金属板により形成すると共に区画壁部４５，４７及び延出部４９を樹脂により形成して、両者を接着剤等を介して接合した後に、区画壁部４５，４７及び延出部４９に導電膜を被覆して導電性を持たせたものを用いてもよい。また、シールドケース２３は、例えば、天板部４３、区画壁部４５，４７及び延出部４９の全てを樹脂により一体的に形成し、その表面に導電膜を被覆して導電性を持たせたものを用いても構わない。このようにシールドケース２３の一部若しくは全体を樹脂により形成した場合には、携帯電話機１の軽量化を効果的に図ることができる。
【００３６】
スイッチ基板２５は、例えば、ポリイミド樹脂からなるベースフィルムの間に銅箔よりなる所定パターンの配線を挟み込んだ薄膜状に形成されると共に可撓性を有しており、天板部４３及び延出部４９の各表面４３ａ，４９ａにわたって配されている。すなわち、このスイッチ基板２５は、一体的に形成された２つのスイッチシート５１，５３からなり、第１のスイッチシート５１は、シールド板４３の表面４３ａに配されるようになっている。また、第２のスイッチシート５３は、延出部４９の表面４９ａに配されると共に、第１のスイッチシート５１に対して略直交して配されるように折り曲げられている。
【００３７】
これら２つのスイッチシート５１，５３の表面５１ａ，５３ａには、各キー操作部１１，１３用のスイッチ５５，５７が複数形成されている。また、これらスイッチ５５，５７は、各キー操作部１１，１３の操作キー１０，１２と同じ数だけ形成され、前述した回路基板２１と不図示のフレキシブル配線基板を介して電気的に接続されている。
【００３８】
第１のキー操作部１１は、前述した複数の操作キー１０を有するキーシートと、第１のスイッチシート５１に形成された複数のスイッチ５５とから構成されている。この第１のキー操作部１１において、主操作キー１０を天板部４３の表面４３ａに向けて押下操作した際には、スイッチシート５１が天板部４３により支持されているため、主操作キー１０がスイッチ５５を押下することになる。
【００３９】
また、第２のキー操作部１３は、前述した複数の補助操作キー１２を有するキーシートと、第２のスイッチシート５３に形成された複数のスイッチ５７とから構成されている。なお、第２のキー操作部１３の補助操作キー１２は、第２のスイッチシート５３を挟み込んで延出部４９の表面４９ａに固定されるようになっている。この第２のキー操作部１３において、補助操作キー１２を延出部４９の表面４９ａに向けて押下操作した際には、スイッチシート５３が延出部４９により支持されているため、操作キー１２がスイッチ５７に当接することになる。
【００４０】
さらに、天板部４３及び延出部４９は、第１のキー操作部１１や第２のキー操作部１３を支持する支持板としての役割を果たすため、これら天板部４３及び延出部４９によってこれら２つのキー操作部１１，１３の操作キー１０，１２の押下操作に対する強度を十分に確保することができる。そして、天板部４３でスイッチ５５を有するスイッチ基板２５を支持するようにすることで、携帯電話機１の薄型化を図ることもできる。
【００４１】
また、２つのスイッチシート５１，５３は、１枚のフレキシブルシートから構成されるとしたが、それぞれ別個のフレキシブルシートから構成されるとしても構わない。また、２つのスイッチシート５１，５３が個別の基板から構成される場合には、可撓性を有するフレキシブルシートによって構成される必要はなく、例えば、可撓性を有さない基板により構成されるとしてもよい。
【００４２】
また、図４に示すように、カメラ部６１は本発明のフレキシブル配線基板６５を介して回路基板２１と電気的に接続されるようになっている。
【００４３】
即ち、カメラ部６１と回路基板２１とを電気的に接続するフレキシブル配線基板６５は、図５に示すように、例えば、ポリイミド樹脂からなるベースフィルムの間に銅箔よりなる所定パターンの配線を挟み込んだ薄膜状のシートからなり、平面視略逆Ｌ字状をした引き回し配線部６６と、この引き回し配線部６６より延出され、折り曲げ可能に形成された折り曲げ配線部６７とを有し、フレキシブル配線基板６５の一表面側のうち、引き回し配線部６６の両端側にはＩＣチップ６８と電子部品６９がそれぞれ実装され、また、折り曲げ配線部６７にはコネクタ７０が実装されている。
【００４４】
また、折り曲げ配線部６７のうち、折り曲げ側と反対の周縁には切り欠き部６７ａを有すると共に、引き回し配線部６６のうち折り曲げ配線部６７と反対側には前記切り欠き部６７ａに係合させる引っ掛け係合部７１が延出され、折り曲げ可能に構成されている。すなわち、折り曲げ配線部６７を図５の矢印で示す方向に折り曲げることにより図６に示すように折り曲げ配線部６７を引き回し配線部６６と重ね合わせることができるようになっている。そして、図７及び図８に示すように、引っ掛け係合部７１を折り曲げて切り欠き部６７ａに係合させることにより折り曲げ状態を維持するようになっている。
【００４５】
引っ掛け係合部７１は、引き回し配線部６６より延びる舌片部７２と、この舌片部７２の端部より両側に延びる引っ掛け部７３とを有している。一方、折り曲げ配線部６７に形成された切り欠き部６７ａは、その開口の幅ｔが、前記引っ掛け係合部７１の舌片部７２の幅ｓよりも小さくなるように形成すると共に、切り欠き部６７ａの開口近傍の内面には段差部６７ｂを形成してある。
【００４６】
その為、引っ掛け係合部７１の舌片部７２を折り曲げ配線部６７の切り欠き部６７ａに挿入すると、舌片部７２の両側は前記切り欠き部６７ａの段差部６７ｂに引っ掛かり、切り欠き部６７ａから抜け難くなる。また、舌片部７２の端部両側より突出する引っ掛け部７３により折り曲げ配線部６７が元の平面状態に戻ろうとする復元作用を係止することになる。その結果、折り曲げ配線部６７を折り曲げた状態で固着することなく維持することができる。
【００４７】
このとき、図８に示すように、引っ掛け係合部７１の先端は、その根元部より引き回し配線部６６側に位置するように構成することが好ましい。このように、引っ掛け係合部７１が引き回し配線部６６側に倒れた状態を維持するように折り曲げておくことで、引っ掛け係合部７１を引き回し配線部６６側に対して直角に配置した場合と比較して折り曲げ点からの距離が短くなるため、折り曲げ配線部６６が元の状態に戻ろうとする復元力による引っ掛け部７３での係合力が大きくなるため、引っ掛け係合部７１を外れ難くすることができると共に、折り曲げた引っ掛け係合部７１の先端側に他の部品等が配置される場合、高さを低くすることができるため、他の部品等との接触を防ぐことが可能になる。
【００４８】
そして、引き回し配線部６６のうちＩＣチップ６８が実装された面と反対側の面に露出する接続端子部にカメラ部６１を半田接合すると共に、折り曲げ配線部６７を折り曲げて引き回し配線部６６に重ね合わせた状態で、折り曲げ配線部６７に有するコネクタ７０を回路基板２１に形成されたコネクタ受部３８に接続することでカメラ部６１と回路基板２１との電気的接続を行うことができる。
【００４９】
そして、カメラ部６１を実装した部位を折り曲げ配線部６７とは反対側に折り曲げてリアケース１９内に収容するのであるが、このとき、リアケース１９との寸法精度の問題からカメラ部６１の位置を若干移動させたい場合であってもフレキシブル配線基板６５は可撓性を有すると共に、折り曲げ配線部６７は係合によって係止してあるだけであるため、折り曲げ配線部６７と引き回し配線部６６との位置を容易にずらすことができるため、負荷をかけることなく簡単に組み付けることができるというように、組み立て時やメンテナンス時におけるフレキシブル配線基板の取り扱いが容易となり、組み立てやメンテナンス作業性を大幅に高めることができる。
【００５０】
なお、この実施形態では、カメラ部６１と回路基板２１との接続に用いるフレキシブル配線基板６５を例にとって説明したが、本発明のフレキシブル配線基板をスイッチ基板と回路基板との接続や第２の筐体３内に備える表示部やスピーカ部と回路基板との接続に用いても構わない。また、折り曲げ配線部にはコネクタを設けた例を示したが、ここに電子部品を実装するようにしても構わない。この場合、回路基板に実装する電子部品を減らしたり、回路設計の自由度を高めることができる。
【００５１】
さらに、上記実施形態においては、ヒンジ部５によって互いに連結された２つの筐体２，３を備える携帯電話機１について述べたが、これに限ることはなく、例えば、１つの筐体から構成される携帯電話機であっても構わない。
【００５２】
また、携帯電話機に限ることはなく、ＰＤＡやデジタルカメラなどのフレキシブル配線基板を用いた携帯電子機器に適用することができる。
【００５３】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００５４】
【図１】本発明の一実施形態に係る携帯電話機の第１及び第２の筐体を相互に開いた状態を示す概略斜視図である。
【図２】図１の携帯電話機における第１の筐体を示す分解斜視図である。
【図３】図１の携帯電話機の電気的な構成を示すブロック図である。
【図４】図１の携帯電話機において、回路基板、シールドケース、キー操作部、及びカメラ部の構成を示す拡大断面図である。
【図５】本発明の携帯電話機において、カメラ部と回路基板とを接続するフレキシブル配線基板を展開した斜視図である。
【図６】本発明の携帯電話機において、カメラ部と回路基板とを接続するフレキシブル配線基板の折り曲げ配線部を折り曲げた状態を示す斜視図である。
【図７】本発明のフレキシブル配線基板における引っ掛け係合部と折り曲げ配線部との係合状態を示す平面図である。
【図８】本発明のフレキシブル配線基板における引っ掛け係合部と折り曲げ配線部との係合状態を示す断面図である。
【符号の説明】
【００５５】
１  携帯電話機（携帯無線機）
２  第１の筐体
２ｃ  対向面（表面）
２ｅ  側面
１０  操作キー（主操作キー）
１１  第１のキー操作部（主キー操作部）
１２  操作キー（補助操作キー）
１３  第２のキー操作部（補助キー操作部）
２１  回路基板
２１ａ  一の表面
２３  シールドケース
２７  アンテナ
３１  高周波ブロック（電子部品）
３２  他の電子部品
３３  電源ＩＣ（電子部品）
３５  メモリ（電子部品）
３７  ＣＰＵ（電子部品）
４１  基準電位層
４３  天板部
４３ａ  表面
４５  区画壁部
４７  区画壁部
４９  延出部
４９ａ  表面
Ｓ１〜Ｓ４  搭載領域
６１  カメラ部
６５  フレキシブル配線基板
６６  引き回し配線部
６７  折り曲げ配線部
６７ａ  切り欠き部
６７ｂ  段差部
６８  ＩＣチップ
６９  電子部品
７０  コネクタ
７１  引っ掛け係合部
７２  舌片部
７３  引っ掛け部
【図１】
0004646828.tif 000002
【図２】
0004646828.tif 000003
【図３】
0004646828.tif 000004
【図４】
0004646828.tif 000005
【図５】
0004646828.tif 000006
【図６】
0004646828.tif 000007
【図７】
0004646828.tif 000008
【図８】
0004646828.tif 000009